(57)【要約】【課題】結露水の飛散を抑制することが可能な室内熱交換器及び空気調和装置を提供する。【解決手段】室内熱交換器５１は、空気調和装置１の室内ユニット３に用いられる熱交換器である。室内熱交換器５１は、複数の室内扁平管５５と、複数の室内フィン６０とを備える。室内扁平管５５は、冷媒を通過させる流路５５ｃを内部に有する。室内フィン６０は、第１方向に延びている室内連通部６４を有する。室内フィン６０は、第１方向に並んだ複数の室内扁平管５５に接合されている。複数の室内扁平管５５は、室内扁平管５５の長手方向及び第１方向と交差する第２方向に並んで配置されている。室内扁平管５５は、ＷＴ≦１２ｍｍの関係を満たす。ＷＴは、室内扁平管５５の断面視における長手方向の寸法である。【選択図】図１１
2019215117.tif 000002
【特許請求の範囲】
【請求項１】
空気調和装置（１）の室内機（３）に用いられる室内熱交換器（５１）であって、
冷媒を通過させる流路（５５ｃ）を内部に有する複数の扁平管（５５）と、
第１方向に延びている連通部（６４）を有し、前記第１方向に並んだ複数の前記扁平管に接合された複数の伝熱フィン（６０）と、
を備え、
複数の前記扁平管は、前記扁平管の長手方向及び前記第１方向と交差する第２方向に並んで配置され、
前記扁平管の断面視における長手方向の寸法をＷＴとした場合に、前記扁平管は、ＷＴ≦１２ｍｍの関係を満たす、
室内熱交換器。
【請求項２】
空気調和装置（１）の室内機（３）に用いられる室内熱交換器（５１）であって、
冷媒を通過させる流路（５５ｃ）を内部に有する複数の扁平管（５５）と、
第１方向に延びている連通部（６４）を有し、前記第１方向に並んだ複数の前記扁平管に接合された伝熱フィン（６０）と、
を備え、
前記扁平管の断面視における短手方向の寸法をＨＴとし、前記扁平管の断面視における長手方向の寸法をＷＴとした場合に、前記扁平管は、ＨＴ／ＷＴ≧０．１５の関係を満たす、
室内熱交換器。
【請求項３】
前記扁平管の断面視における長手方向の寸法をＷＴとした場合に、前記扁平管は、ＷＴ≦１２ｍｍの関係をさらに満たす、
請求項２に記載の室内熱交換器。
【請求項４】
前記扁平管の断面視における長手方向の寸法をＷＴとした場合に、前記扁平管は、ＷＴ≦１０ｍｍの関係をさらに満たす、
請求項１又は３に記載の室内熱交換器。
【請求項５】
前記扁平管の断面視における長手方向の寸法をＷＴとした場合に、前記扁平管は、ＷＴ≧３ｍｍの関係をさらに満たす、
請求項１、３及び４のいずれか１項に記載の室内熱交換器。
【請求項６】
前記扁平管の断面視における短手方向の寸法をＨＴとし、前記扁平管の断面視における長手方向の寸法をＷＴとした場合に、前記扁平管は、ＨＴ／ＷＴ≧０．２の関係をさらに満たす、
請求項２から５のいずれか１項に記載の室内熱交換器。
【請求項７】
前記扁平管の断面視における短手方向の寸法をＨＴとし、前記扁平管の断面視における長手方向の寸法をＷＴとした場合に、前記扁平管は、ＨＴ／ＷＴ≦０．３の関係をさらに満たす、
請求項２から６のいずれか１項に記載の室内熱交換器。
【請求項８】
請求項１から７のいずれか１項に記載の室内熱交換器（５１）を備える空気調和装置（１）。
【請求項９】
室外熱交換器（１１）をさらに備え、
前記室外熱交換器は、
冷媒を通過させる流路（９０ｃ）を内部に有する複数の扁平管（９０）と、
第３方向に並んだ複数の前記扁平管に接合された伝熱フィン（９１）と、
を有する、
請求項８に記載の空気調和装置。
【請求項１０】
前記室内熱交換器の前記扁平管の断面視における短手方向の寸法をＨＴとし、
前記室内熱交換器の前記扁平管の断面視における長手方向の寸法をＷＴとし、
前記室外熱交換器の前記扁平管の断面視における短手方向の寸法をＨＴｏとし、
前記室外熱交換器の前記扁平管の断面視における長手方向の寸法をＷＴｏとした場合に、
ＨＴ／ＷＴ≧ＨＴｏ／ＷＴｏの関係を満たす、
請求項９に記載の空気調和装置。
【請求項１１】
前記室内熱交換器の前記扁平管の断面視における長手方向の寸法をＷＴとし、
前記室外熱交換器の前記扁平管の断面視における長手方向の寸法をＷＴｏとした場合に、
ＷＴ≦ＷＴｏの関係を満たす、
請求項９又は１０に記載の空気調和装置。
【請求項１２】
前記室内熱交換器は、前記第１方向に並んだ複数の前記扁平管からなる列を有し、
前記室外熱交換器は、前記第３方向に並んだ複数の前記扁平管からなる列を有し、
前記室内熱交換器の前記列の数は、前記室外熱交換器の前記列の数以上である、
請求項９から１１のいずれか１項に記載の空気調和装置。
【請求項１３】
前記室外熱交換器の前記伝熱フィンは、前記第３方向に延びている連通部（９７ａ）を有し、
前記室内熱交換器において、前記連通部は、前記扁平管に対して、前記室内熱交換器を通過する気体の流れ方向の下流側にあり、
前記室外熱交換器において、前記連通部は、前記扁平管に対して、前記室外熱交換器を通過する気体の流れ方向の上流側にある、
請求項９から１２のいずれか１項に記載の空気調和装置。
【発明の詳細な説明】
【技術分野】
【０００１】
室内熱交換器及び空気調和装置
【背景技術】
【０００２】
従来、空気調和装置の室外機に用いられる室外熱交換器として、特許文献１（特開２０１６−０４１９８６号）に記載されているように、複数の扁平管が接合された伝熱フィンを備える熱交換器が知られている。
【発明の概要】
【発明が解決しようとする課題】
【０００３】
このような、複数の扁平管が接合された伝熱フィンを備える熱交換器を、空気調和装置の室内機に用いる場合、冷媒の蒸発器として機能させる際に生じる結露水が室内に飛散することが問題となる。
【課題を解決するための手段】
【０００４】
第１観点に係る室内熱交換器は、空気調和装置の室内機に用いられる室内熱交換器である。室内熱交換器は、複数の扁平管と、複数の伝熱フィンとを備える。扁平管は、冷媒を通過させる流路を内部に有する。伝熱フィンは、第１方向に延びている連通部を有する。伝熱フィンは、第１方向に並んだ複数の扁平管に接合されている。複数の扁平管は、扁平管の長手方向及び第１方向と交差する第２方向に並んで配置されている。扁平管は、ＷＴ≦１２ｍｍの関係を満たす。ＷＴは、扁平管の断面視における長手方向の寸法である。
【０００５】
この室内熱交換器では、扁平管の表面に滞留しようとする水を排出しやすくして、冷媒の蒸発器として用いられた場合に生じる結露水の飛散を抑制させることが可能になる。
【０００６】
第２観点に係る室内熱交換器は、空気調和装置の室内機に用いられる室内熱交換器である。室内熱交換器は、複数の扁平管と、複数の伝熱フィンとを備える。扁平管は、冷媒を通過させる流路を内部に有する。伝熱フィンは、第１方向に延びている連通部を有する。伝熱フィンは、第１方向に並んだ複数の扁平管に接合されている。扁平管は、ＨＴ／ＷＴ≧０．１５の関係を満たす。ＨＴは、扁平管の断面視における短手方向の寸法である。ＷＴは、扁平管の断面視における長手方向の寸法である。
【０００７】
この室内熱交換器では、扁平管の表面に滞留しようとする水を排出しやすくして、冷媒の蒸発器として用いられた場合に生じる結露水の飛散を抑制させることが可能になる。
【０００８】
第３観点に係る室内熱交換器は、第２観点に係る室内熱交換器であって、扁平管は、ＷＴ≦１２ｍｍの関係をさらに満たす。ＷＴは、扁平管の断面視における長手方向の寸法である。
【０００９】
この室内熱交換器では、冷媒の蒸発器として用いられた場合に生じる結露水の飛散をより抑制させやすい。
【００１０】
第４観点に係る室内熱交換器は、第１観点又は第３観点に係る室内熱交換器であって、扁平管は、ＷＴ≦１０ｍｍの関係をさらに満たす。ＷＴは、扁平管の断面視における長手方向の寸法である。
【００１１】
この室内熱交換器では、冷媒の蒸発器として用いられた場合に生じる結露水の飛散をより抑制させやすい。
【００１２】
第５観点に係る室内熱交換器は、第１観点、第３観点及び第４観点のいずれかに係る室内熱交換器であって、扁平管は、ＷＴ≧３ｍｍの関係をさらに満たす。ＷＴは、扁平管の断面視における長手方向の寸法である。
【００１３】
この室内熱交換器では、伝熱性能を確保しつつ、結露水の飛散を抑制させることが可能になる。
【００１４】
第６観点に係る室内熱交換器は、第２観点から第５観点のいずれかに係る室内熱交換器であって、扁平管は、ＨＴ／ＷＴ≧０．２の関係をさらに満たす。ＨＴは、扁平管の断面視における短手方向の寸法である。ＷＴは、扁平管の断面視における長手方向の寸法である。
【００１５】
この室内熱交換器では、冷媒の蒸発器として用いられた場合に生じる結露水の飛散をより抑制させやすい。
【００１６】
第７観点に係る室内熱交換器は、第２観点から第６観点のいずれかに係る室内熱交換器であって、扁平管は、ＨＴ／ＷＴ≦０．３の関係をさらに満たす。ＨＴは、扁平管の断面視における短手方向の寸法である。ＷＴは、扁平管の断面視における長手方向の寸法である。
【００１７】
この室内熱交換器では、伝熱性能を確保しつつ、結露水の飛散を抑制させることが可能になる。
【００１８】
第８観点に係る空気調和装置は、第１観点から第７観点のいずれかに係る室内熱交換器を備える。
【００１９】
この空気調和装置では、室内熱交換器が冷媒の蒸発器として用いられた場合に生じる結露水の飛散を抑制させやすい。
【００２０】
第９観点に係る空気調和装置は、第８観点に係る空気調和装置であって、室外熱交換器をさらに備える。室外熱交換器は、複数の扁平管と、伝熱フィンとを有する。扁平管は、冷媒を通過させる流路を内部に有する。伝熱フィンは、第３方向に並んだ複数の扁平管に接合されている。
【００２１】
この空気調和装置では、室外熱交換器が冷媒の蒸発器として用いられた場合に生じる結露水の飛散を抑制させやすい。
【００２２】
第１０観点に係る空気調和装置は、第９観点に係る空気調和装置であって、ＨＴ／ＷＴ≧ＨＴｏ／ＷＴｏの関係を満たす。ＨＴは、室内熱交換器の扁平管の断面視における短手方向の寸法である。ＷＴは、室内熱交換器の扁平管の断面視における長手方向の寸法である。ＨＴｏは、室外熱交換器の扁平管の断面視における短手方向の寸法である。ＷＴｏは、室外熱交換器の扁平管の断面視における長手方向の寸法である。
【００２３】
この空気調和装置では、室外熱交換器の伝熱フィンの着霜耐力を確保しつつ、室内熱交換器が冷媒の蒸発器として用いられた場合に生じる結露水の飛散を抑制させることが可能になる。
【００２４】
第１１観点に係る空気調和装置は、第９観点又は第１０観点に係る空気調和装置であって、ＷＴ≦ＷＴｏの関係を満たす。ＷＴは、室内熱交換器の扁平管の断面視における長手方向の寸法である。ＷＴｏは、室外熱交換器の扁平管の断面視における長手方向の寸法である。
【００２５】
この空気調和装置では、室外熱交換器の伝熱フィンの着霜耐力を確保しつつ、室内熱交換器が冷媒の蒸発器として用いられた場合に生じる結露水の飛散を抑制させることが可能になる。
【００２６】
第１２観点に係る空気調和装置は、第９観点から第１１観点のいずれかに係る空気調和装置であって、室内熱交換器の列の数は、室外熱交換器の列の数以上である。室内熱交換器は、第１方向に並んだ複数の扁平管からなる列を有する。室外熱交換器は、第３方向に並んだ複数の扁平管からなる列を有する。
【００２７】
この空気調和装置では、室外熱交換器の伝熱フィンの着霜耐力を確保しつつ、室内熱交換器が冷媒の蒸発器として用いられた場合に生じる結露水の飛散を抑制させることが可能になる。
【００２８】
第１３観点に係る空気調和装置は、第９観点から第１２観点のいずれかに係る空気調和装置であって、室外熱交換器の伝熱フィンは、第３方向に延びている連通部を有する。室内熱交換器において、連通部は、扁平管に対して、室内熱交換器を通過する気体の流れ方向の下流側にある。室外熱交換器において、連通部は、扁平管に対して、室外熱交換器を通過する気体の流れ方向の上流側にある。
【００２９】
この空気調和装置では、室内熱交換器の扁平管で生じた結露水を、室内熱交換器を通過する気体の流れ方向の下流側に位置している連通部に伝わせながら導くことで、結露水の飛散を抑制することが可能になる。
【図面の簡単な説明】
【００３０】
【図１】空気調和装置の概略構成図である。
【図２】室外ユニットの概略外観斜視図である。
【図３】室外ユニットの平面視概略構成図である。
【図４】室外熱交換器の概略外観斜視図である。
【図５】室外フィンと室外扁平管との位置関係を示す説明図である。
【図６】室内ユニットの概略外観斜視図である。
【図７】室内ユニットの平面視概略構成図である。
【図８】室内ユニットの図７のＡ−Ａ断面における側面視概略構成図である。
【図９】室内熱交換器の概略外観斜視図である。
【図１０】室内熱交換器の部分拡大概略外観斜視図である。
【図１１】室内フィンと室内扁平管との位置関係を示す説明図である。
【図１２】室内フィンと室内扁平管との接合状態を示す説明図である。
【図１３】ＷＴの値を変化させたデータの具体例である。
【図１４】ＨＴ／ＷＴの値を変化させたデータの具体例である。
【図１５】変形例Ａに係る室内フィンと室内扁平管との位置関係を示す説明図である。
【図１６】変形例Ａに係る室内フィンが有する導水リブの断面図であって、図１５のＢ−Ｂ断面の内の風下側近傍部分の説明図である。
【発明を実施するための形態】
【００３１】
（１）空気調和装置の概略構成
図１は、空気調和装置１の概略構成図である。空気調和装置１は、蒸気圧縮式の冷凍サイクルを行うことによって、建物等の室内の冷房及び暖房を行うことが可能な装置である。
【００３２】
空気調和装置１は、主として、室外ユニット２と、室内ユニット３と、液冷媒連絡管４と、ガス冷媒連絡管５とを有している。液冷媒連絡管４及びガス冷媒連絡管５は、室外ユニット２と室内ユニット３とを接続する冷媒経路である。空気調和装置１の蒸気圧縮式の冷媒回路６は、室外ユニット２と室内ユニット３とが、液冷媒連絡管４及びガス冷媒連絡管５を介して接続されることによって構成されている。液冷媒連絡管４及びガス冷媒連絡管５は、空気調和装置１を建物等の所定の場所に設置する際に、現地で施工される冷媒管である。冷媒回路６には、作動冷媒としてＲ３２が充填されている。しかし、冷媒回路６に充填される冷媒は、Ｒ３２に限定されない。例えば、冷媒回路６に充填される冷媒として、Ｒ４５２Ｂ、Ｒ４１０Ａ、Ｒ４５４Ｂ、ＨＦＯ系混合冷媒（例えば、ＨＦＯ−１１２３とＲ３２との混合冷媒）、ＣＯ２、ＣＦ３Ｉ（単体もしくはその混合冷媒）が用いられてもよい。
【００３３】
（２）室外ユニット
（２−１）室外ユニットの概略構成
図２は、室外ユニット２の概略外観斜視図である。図３は、室外ユニット２の平面視概略構成図である。室外ユニット２は、冷媒回路６の一部を構成し、室外に設置されている。室外とは、建物の屋上、及び、建物の壁面近傍等である。室外ユニット２は、主として、アキュムレータ７と、圧縮機８と、四路切換弁１０と、室外熱交換器１１と、室外膨張弁１２と、液側閉鎖弁１３と、ガス側閉鎖弁１４と、室外ファン１５と、ケーシング４０とを有している。
【００３４】
アキュムレータ７は、圧縮機８にガス冷媒を供給するための容器である。アキュムレータ７は、圧縮機８の吸入側に設けられている。
【００３５】
圧縮機８は、低圧のガス冷媒を吸入し、圧縮し、高圧のガス冷媒を吐出する。
【００３６】
室外熱交換器１１は、冷房運転時には圧縮機８から吐出された冷媒の放熱器として機能する。室外熱交換器１１は、暖房運転時には室内熱交換器５１から送られてくる冷媒の蒸発器として機能する。室外熱交換器１１の液側には、室外膨張弁１２が接続されている。室外熱交換器１１のガス側には、四路切換弁１０が接続されている。
【００３７】
室外膨張弁１２は、冷媒回路６の膨張機構として機能する電動膨張弁である。室外膨張弁１２は、冷房運転時には室外熱交換器１１において放熱された冷媒を室内熱交換器５１に送る前に減圧する。室外膨張弁１２は、暖房運転時には室内熱交換器５１において放熱された冷媒を室外熱交換器１１に送る前に減圧する。
【００３８】
室外ユニット２の液側閉鎖弁１３には、液冷媒連絡管４の一端が接続されている。室外ユニット２のガス側閉鎖弁１４には、ガス冷媒連絡管５の一端が接続されている。また、室外ユニット２の機器及び弁の間は、冷媒管１６〜２２によって接続されている。
【００３９】
四路切換弁１０は、冷房運転の接続状態と、暖房運転の接続状態とを切り換えるための弁である。冷房運転の接続状態では、圧縮機８の吐出側が室外熱交換器１１側に接続されると共に、圧縮機８の吸入側がガス側閉鎖弁１４側に接続される。暖房運転の接続状態では、圧縮機８の吐出側がガス側閉鎖弁１４側に接続されると共に、圧縮機８の吸入側が室外熱交換器１１側に接続される。冷房運転の接続状態は、図１において、四路切換弁１０の実線で表されている。暖房運転の接続状態は、図１において、四路切換弁１０の破線で表されている。
【００４０】
室外ファン１５は、室外ユニット２の内部に配置される。室外ファン１５は、室外空気を吸入して、室外熱交換器１１に室外空気を供給した後に、室外ユニット２外に室外空気を排出する空気流れを形成する。この空気流れは、図３において矢印で示されている。室外ファン１５によって供給される室外空気は、室外熱交換器１１を通過する冷媒との熱交換における冷却源又は加熱源として用いられる。
【００４１】
ケーシング４０は、図２及び図３に示されるように、主として、底フレーム４０ａと、天板４０ｂと、左前板４０ｃと、右前板４０ｄと、右側板４０ｅとを有している。底フレーム４０ａは、ケーシング４０の底面部分を構成する横長の略長方形状の板状部材である。底フレーム４０ａは、その下面に固定された固定脚４１によって設置面に設置されている。天板４０ｂは、ケーシング４０の天面部分を構成する横長の略長方形状の板状部材である。左前板４０ｃは、主として、ケーシング４０の左正面部分及び左側面部分を構成する板状部材である。左前板４０ｃには、吹出口が上下に２つ並んで形成されている。これらの吹出口は、室外ファン１５によって背面側及び左側面側からケーシング４０内に取り込まれた室外空気を、前面側に吹き出すための開口である。各吹出口には、ファングリル４２が設けられている。なお、吹出口は、天板４０ｂに形成され、ケーシング４０内に取り込まれた室外空気を上方に吹き出すための開口であってもよい。右前板４０ｄは、主として、ケーシング４０の右正面部分及び右側面の前部を構成する板状部材である。右側板４０ｅは、主として、ケーシング４０の右背面部分及び右側面の後部を構成する板状部材である。
【００４２】
ケーシング４０内には、仕切板４３が設けられている。仕切板４３は、ケーシング４０の内部空間を、室外ファン１５等が配置される送風機室と、圧縮機８等が配置される機械室とに仕切る。
【００４３】
（２−２）室外熱交換器の概略構造
図４は、室外熱交換器１１の概略外観斜視図である。室外熱交換器１１は、主として、ガス側分流器２３と、液側分流器２４と、複数の流入側折返し部材２５と、複数の反流入側折返し部材２６と、複数の室外扁平管９０と、複数の室外フィン９１とを有している。室外熱交換器１１を構成するこれらの部品は、アルミニウム又はアルミニウム合金で形成されており、互いにロウ付け等によって接合されている。
【００４４】
複数の室外扁平管９０は、上下方向（鉛直方向）に並んで配置されている。
【００４５】
複数の室外フィン９１は、室外扁平管９０が延びている方向に沿って並んで配置されている。室外フィン９１の板厚方向は、室外フィン９１が並んでいる方向と同じである。
【００４６】
ガス側分流器２３は、複数の室外扁平管９０の内の上方に配置されている複数の室外扁平管９０に接続され、かつ、冷媒管１９に接続されている。室外熱交換器１１が冷媒の放熱器として機能する場合、冷媒管１９から室外熱交換器１１に流入した冷媒は、ガス側分流器２３で複数の高さ位置に分流して、ガス側分流器２３に接続されている複数の室外扁平管９０に送られる。
【００４７】
液側分流器２４は、複数の室外扁平管９０の内の下方に配置されている複数の室外扁平管９０に接続され、かつ、冷媒管２０に接続されている。室外熱交換器１１が冷媒の放熱器として機能する場合、液側分流器２４に接続されている複数の室外扁平管９０のそれぞれを流れてきた冷媒は、液側分流器２４で合流し、冷媒管２０を介して室外熱交換器１１の外部に流出する。
【００４８】
複数の流入側折返し部材２５は、ガス側分流器２３と液側分流器２４との間に配置されている。流入側折返し部材２５は、互いに異なる高さ位置に設けられた室外扁平管９０の端部同士を接続する管である。
【００４９】
複数の反流入側折返し部材２６は、室外熱交換器１１の端部であって、ガス側分流器２３と液側分流器２４と複数の流入側折返し部材２５とが設けられている側とは反対側の端部に設けられている。反流入側折返し部材２６は、互いに異なる高さ位置に設けられた室外扁平管９０の端部同士を接続する管である。
【００５０】
室外熱交換器１１では、複数の流入側折返し部材２５及び複数の反流入側折返し部材２６を設けることによって、室外熱交換器１１の両端部で冷媒を折り返しながら冷媒を流すことが可能となっている。
【００５１】
（２−３）室外扁平管
図５は、室外熱交換器１１の断面図であって、室外フィン９１と室外扁平管９０との位置関係を示す図である。図５は、室外扁平管９０内部の流路９０ｃが延びている方向に対して垂直に室外扁平管９０を切断した状態で、当該流路９０ｃが延びている方向に沿って見た断面図である。
【００５２】
室外扁平管９０は、上側扁平面９０ａと、下側扁平面９０ｂと、複数の流路９０ｃとを有している。上側扁平面９０ａは、室外扁平管９０の表面であって、鉛直方向上方を向いている上面である。下側扁平面９０ｂは、室外扁平管９０の表面であって、鉛直方向下方を向いている下面である。流路９０ｃは、冷媒が流れる空間である。複数の流路９０ｃは、室外空気流れ方向に並んで設けられている。室外空気流れ方向とは、室外熱交換器１１を通過する室外空気が流れる方向である。室外空気流れ方向は、室外扁平管９０の断面視における長手方向であり、図５において矢印で示されている方向である。以下、室外熱交換器１１に関する説明において、「風上側」は室外空気流れ方向の上流側を意味し、「風下側」は室外空気流れ方向の下流側を意味する。
【００５３】
複数の室外扁平管９０の断面寸法は、全て同じである。断面寸法とは、具体的には、室外扁平管９０の幅ＷＴｏ、及び、室外扁平管９０の高さＨＴｏである。室外扁平管９０の幅ＷＴｏは、室外扁平管９０の断面視における長手方向（複数の流路９０ｃが並んでいる方向）の寸法である。室外扁平管９０の高さＨＴｏは、室外扁平管９０の断面視における短手方向（上下方向）の寸法である。室外扁平管９０の高さＨＴｏは、室外扁平管９０の上側扁平面９０ａと下側扁平面９０ｂとの間の距離に相当する。また、複数の室外扁平管９０は、上下方向において所定の段ピッチＤＰｏで配置されている。段ピッチＤＰｏとは、上下方向において隣り合う２つの室外扁平管９０の上側扁平面９０ａの間の距離に相当する。
【００５４】
図５に示されるように、室外扁平管９０の風下側端部は、室外フィン９１の風下側端部よりも、さらに風下側に位置している。これにより、室外熱交換器１１の製造時又は運搬時における室外フィン９１の風下側端部の損傷及び破損が抑制される。
【００５５】
（２−４）室外フィン
室外フィン９１は、室外空気流れ方向及び上下方向に広がる板状部材である。室外フィン９１は、その板厚方向に沿って所定の間隔で複数配置されている。各室外フィン９１には、複数の室外扁平管９０が固定されている。室外フィン９１の平坦部分における板厚方向の寸法は、例えば、０．０５ｍｍ以上かつ０．１５ｍｍ以下である。
【００５６】
室外フィン９１は、主として、複数の差し込み部９２と、室外連通部９７ａと、複数の風下部９７ｂと、ワッフル部９３と、風上側フィンタブ９４ａと、風下側フィンタブ９４ｂと、室外スリット９５と、風上側リブ９６ａと、風下側リブ９６ｂとを有している。
【００５７】
差し込み部９２は、室外フィン９１の風下側の縁部から、室外フィン９１の風上側の縁部の近傍まで、室外空気流れ方向（水平方向）に沿って切り込まれるようにして形成されている部分である。複数の差し込み部９２は、上下方向に並ぶように設けられている。差し込み部９２は、バーリング等によって形成されるフィンカラーを構成している。差し込み部９２の形状は、室外扁平管９０の断面の外形にほぼ一致している。差し込み部９２には、室外扁平管９０が挿入された状態でロウ付け固定されている。
【００５８】
室外連通部９７ａは、室外フィン９１の一部であって、室外扁平管９０の風上側の端部よりもさらに風上側において、上下方向に連続して延びている部分である。室外フィン９１の着霜耐力を確保する観点から、室外扁平管９０の風上端の端部から、室外連通部９７ａの風上端の端部までの室外空気流れ方向の距離は、４ｍｍ以上であることが好ましい。
【００５９】
風下部９７ｂは、上下方向において隣り合う２つの差し込み部９２に挟まれている部分である。各室外フィン９１では、複数の風下部９７ｂが、互いに異なる高さ位置において、室外連通部９７ａの風下側の端部からさらに風下側に向かって伸びている。
【００６０】
ワッフル部９３は、室外フィン９１の室外空気流れ方向の中央近傍に形成されている。ワッフル部９３は、隆起部分と非隆起部分とから構成されている。隆起部分は、室外フィン９１の板厚方向に隆起した部分である。非隆起部分は、室外フィン９１の板厚方向に隆起していない平坦な部分である。
【００６１】
風上側フィンタブ９４ａ及び風下側フィンタブ９４ｂは、板厚方向に隣り合う室外フィン９１同士の間隔を規制するために、それぞれ、室外フィン９１の風上側の端部近傍と風下側の端部近傍とに設けられている。
【００６２】
室外スリット９５は、室外フィン９１における伝熱性能を向上させるために、室外フィン９１の平坦部分から板厚方向に切り起こされた部分である。室外スリット９５は、ワッフル部９３の風下側に形成されている。室外スリット９５は、その長手方向が上下方向に沿うように形成されている。室外スリット９５は、室外空気流れ方向に複数並ぶように形成されている。複数の室外スリット９５は、全て同じ側に切り起こされている。室外スリット９５は、風上側及び風下側のそれぞれにおいて開口を形成する。
【００６３】
風上側リブ９６ａは、風上側フィンタブ９４ａの上方及び下方に設けられている。風上側リブ９６ａは、上下方向に隣り合う室外扁平管９０同士の間において、室外空気流れ方向に沿って延びるように設けられている。風下側リブ９６ｂは、風上側リブ９６ａの風下側端部からさらに風下側に延びるように設けられている。
【００６４】
（３）室内ユニット
（３−１）室内ユニットの概略構成
図６は、室内ユニット３の外観斜視図である。図７は、室内ユニット３の天板を取り除いた状態を示す概略平面図である。図８は、図７のＡ−Ａで示される切断面における室内ユニット３の概略側面断面図である。
【００６５】
室内ユニット３は、空気調和装置１の空調対象空間である部屋の天井Ｕの開口に埋め込まれて設置されるタイプの室内機である。室内ユニット３は、冷媒回路６の一部を構成している。室内ユニット３は、主として、室内熱交換器５１と、室内ファン５２と、ケーシング３０と、フラップ３９と、ベルマウス３３と、ドレンパン３２とを有している。
【００６６】
室内熱交換器５１は、冷房運転時には室内熱交換器５１から送られてくる冷媒の蒸発器として機能する。室内熱交換器５１は、暖房運転時には圧縮機８から吐出された冷媒の放熱器として機能する。室内熱交換器５１の液側には、液冷媒連絡管４の室内側端部が接続されている。室内熱交換器５１のガス側には、ガス冷媒連絡管５の室内側端部が接続されている。
【００６７】
室内ファン５２は、室内ユニット３のケーシング本体３１の内部に配置された遠心送風機である。室内ファン５２は、化粧パネル３５の吸込口３６を介して室内空気をケーシング３０内に吸入し、室内熱交換器５１を通過させた後、化粧パネル３５の吹出口３７を介して室内空気をケーシング３０外へ吹き出す空気流れを形成する。この空気流れは、図８において矢印で示されている。室内ファン５２によって供給される室内空気は、室内熱交換器５１を通過する冷媒と熱交換することにより温度が調節される。
【００６８】
ケーシング３０は、主として、ケーシング本体３１と、化粧パネル３５とを有している。
【００６９】
ケーシング本体３１は、空調対象空間である部屋の天井Ｕに形成された開口に挿入されるようにして設置されている。ケーシング本体３１は、その平面視において長辺と短辺とが交互に接続された略八角形状を有している箱状の部材である。ケーシング本体３１は、天板及び天板の周縁部から下方に延びる複数の側板を有している。ケーシング本体３１の下面は、開口している。
【００７０】
化粧パネル３５は、天井Ｕに形成された開口に嵌め込まれるようにして設置されている。化粧パネル３５は、その平面視においてケーシング本体３１の天板及び側板よりも外側に広がっている。化粧パネル３５は、ケーシング本体３１の下方に取り付けられる。化粧パネル３５は、内枠３５ａと外枠３５ｂとを有している。内枠３５ａの内側には、下方に開口した略四角形状の吸込口３６が形成されている。吸込口３６の上方には、吸込口３６から吸入された空気中の塵埃を除去するためのフィルタ３４が設けられている。外枠３５ｂの内側、かつ、内枠３５ａの外側には、下方又は斜め下方に開口した吹出口３７及び角部吹出口３８が形成されている。吹出口３７は、化粧パネル３５の平面視における略四角形状の各辺に対応する位置に配置されている、第１吹出口３７ａ、第２吹出口３７ｂ、第３吹出口３７ｃ及び第４吹出口３７ｄから構成されている。角部吹出口３８は、化粧パネル３５の平面視における略四角形状の各角に対応する位置に配置されている、第１角部吹出口３８ａ、第２角部吹出口３８ｂ、第３角部吹出口３８ｃ及び第４角部吹出口３８ｄから構成されている。
【００７１】
フラップ３９は、吹出口３７を通過する空気流れの方向を変更するための部材である。フラップ３９は、第１吹出口３７ａに配置される第１フラップ３９ａと、第２吹出口３７ｂに配置される第２フラップ３９ｂと、第３吹出口３７ｃに配置される第３フラップ３９ｃと、第４吹出口３７ｄに配置される第４フラップ３９ｄとから構成されている。各フラップ３９は、ケーシング３０の所定の位置において回動可能に軸支されている。
【００７２】
ドレンパン３２は、室内熱交換器５１の下側に配置されている。ドレンパン３２は、室内熱交換器５１において空気中の水分が凝縮して生じるドレン水を受けとる。ドレンパン３２は、ケーシング本体３１の下部に装着されている。ドレンパン３２には、平面視における中央部に、室内熱交換器５１の内側において上下方向に伸びた円筒形状の空間が形成されている。この円筒形状の空間の内側下方には、ベルマウス３３が配置されている。ベルマウス３３は、吸込口３６から吸入される空気を室内ファン５２に案内する。
【００７３】
また、ドレンパン３２には、複数の吹出流路４７ａ〜４７ｄ、及び、複数の角部吹出流路４８ａ〜４８ｃが形成されている。吹出流路４７ａ〜４７ｄ及び角部吹出流路４８ａ〜４８ｃは、室内熱交換器５１の外側において上下方向に伸びている。吹出流路４７ａ〜４７ｄは、第１吹出流路４７ａと、第２吹出流路４７ｂと、第３吹出流路４７ｃと、第４吹出流路４７ｄとから構成されている。第１吹出流路４７ａは、その下端において第１吹出口３７ａと連通している。第２吹出流路４７ｂは、その下端において第２吹出口３７ｂと連通している。第３吹出流路４７ｃは、その下端において第３吹出口３７ｃと連通している。第４吹出流路４７ｄは、その下端において第４吹出口３７ｄと連通している。角部吹出流路４８ａ〜４８ｃは、第１角部吹出流路４８ａと、第２角部吹出流路４８ｂと、第３角部吹出流路４８ｃとから構成されている。第１角部吹出流路４８ａは、その下端において第１角部吹出口３８ａと連通している。第２角部吹出流路４８ｂは、その下端において第２角部吹出口３８ｂと連通している。第３角部吹出流路４８ｃは、その下端において第３角部吹出口３８ｃと連通している。
【００７４】
（３−２）室内熱交換器の概略構造
図９は、室内熱交換器５１の概略外観斜視図である。図１０は、室内熱交換器５１の複数の室内フィン６０の風上側の部分拡大外観斜視図である。
【００７５】
室内熱交換器５１は、室内ファン５２と同一の高さ位置において、室内ファン５２の周囲を囲むように曲げられた状態で、ケーシング本体３１の内部に配置されている。室内熱交換器５１は、主として、液側ヘッダ８１と、ガス側ヘッダ７１と、折返しヘッダ５９と、複数の室内扁平管５５と、複数の室内フィン６０とを有している。室内熱交換器５１を構成するこれらの部品は、アルミニウム又はアルミニウム合金で形成されており、互いにロウ付け等によって接合されている。
【００７６】
室内熱交換器５１は、室内空気流れ方向の上流側を構成する風上熱交換部７０と、室内空気流れ方向の下流側を構成する風下熱交換部８０とを有している。室内空気流れ方向とは、室内熱交換器５１を通過する室内空気が流れる方向である。室内空気流れ方向は、室内扁平管５５の長手方向、及び、上下方向と交差している方向である。風上熱交換部７０は、室内熱交換器５１の平面視における内側部分である。風下熱交換部８０は、室内熱交換器５１の平面視における外側部分である。以下、室内熱交換器５１に関する説明において、「風上側」は室内空気流れ方向の上流側を意味し、「風下側」は室内空気流れ方向の下流側を意味する。
【００７７】
液側ヘッダ８１は、風下熱交換部８０の平面視における一端を構成している。液側ヘッダ８１は、上下方向に延びた円筒形状の部材である。液側ヘッダ８１には、液冷媒連絡管４の室内側の端部が接続されている。液側ヘッダ８１には、風下熱交換部８０を構成している複数の室内扁平管５５が接続されている。
【００７８】
ガス側ヘッダ７１は、風上熱交換部７０の平面視における一端を構成している。ガス側ヘッダ７１は、上下方向に延びた円筒形状の部材である。ガス側ヘッダ７１には、ガス冷媒連絡管５の室内側の端部が接続されている。ガス側ヘッダ７１には、風上熱交換部７０を構成している複数の室内扁平管５５が接続されている。
【００７９】
折返しヘッダ５９は、室内熱交換器５１の端部であって、平面視において液側ヘッダ８１及びガス側ヘッダ７１の反対側の端部を構成している。折返しヘッダ５９は、内部において、上下方向に並んだ複数の折返し空間を有している。折返し空間は、同一の高さ位置に設けられた、風上熱交換部７０の室内扁平管５５と、風下熱交換部８０の室内扁平管５５とを接続している。これにより、折返しヘッダ５９は、互いに異なる高さ位置に設けられた、風上熱交換部７０の室内扁平管５５、及び、風下熱交換部８０の室内扁平管５５を流れてきた冷媒同士が混ざり合うことを抑制する。また、折返しヘッダ５９は、各高さ位置の室内扁平管５５を流れた冷媒を、同一の高さ位置の風上側もしくは風下側の室内扁平管５５に折り返して送ることを可能にする。室内熱交換器５１が冷媒の放熱器として機能する場合、折返しヘッダ５９は、冷媒を風上側に折り返す。室内熱交換器５１が冷媒の蒸発器として機能する場合、折返しヘッダ５９は、冷媒を風下側に折り返す。
【００８０】
複数の室内扁平管５５は、室内熱交換器５１の風上熱交換部７０において、上下方向に並んで配置された室内扁平管５５と、室内熱交換器５１の風下熱交換部８０において、上下方向に並んで配置された室内扁平管５５とを含んでいる。風上熱交換部７０を構成する複数の室内扁平管５５は、それぞれ、一端がガス側ヘッダ７１に接続されており、他端が折返しヘッダ５９の風上側部分に接続されている。風下熱交換部８０を構成する複数の室内扁平管５５は、それぞれ、一端が液側ヘッダ８１に接続されており、他端が折返しヘッダ５９の風下側部分に接続されている。
【００８１】
複数の室内フィン６０は、室内熱交換器５１の風上熱交換部７０を構成している室内扁平管５５に固定された室内フィン６０と、室内熱交換器５１の風下熱交換部８０を構成している室内扁平管５５に固定された室内フィン６０とを含んでいる。室内フィン６０は、室内扁平管５５の長手方向に沿って、室内フィン６０の板厚方向に並べられている。
【００８２】
（３−３）室内扁平管
図１１は、室内熱交換器５１の断面図であって、室内フィン６０と室内扁平管５５との位置関係を示す図である。図１１は、室内扁平管５５内部の流路５５ｃが延びている方向に対して垂直に室内扁平管５５を切断した状態で、当該流路５５ｃが延びている方向に沿って見た断面図である。
【００８３】
室内扁平管５５は、上側扁平面５５ａと、下側扁平面５５ｂと、複数の流路５５ｃとを有している。上側扁平面５５ａは、室内扁平管５５の表面であって、鉛直方向上方を向いている上面である。下側扁平面５５ｂは、室内扁平管５５の表面であって、鉛直方向下方を向いている下面である。流路５５ｃは、冷媒が流れる空間である。複数の流路５５ｃは、室内空気流れ方向に並んで設けられている。室内空気流れ方向は、室内扁平管５５の断面視における長手方向であり、図１１において矢印で示されている方向である。
【００８４】
風上熱交換部７０を構成している室内扁平管５５と、風下熱交換部８０を構成している室内扁平管５５とは、室内空気流れ方向に沿って視た場合に、各高さ位置において互いに重なるように配置されている。
【００８５】
また、室内熱交換器５１では、図１１に示されるように、複数の室内扁平管５５の風上側端部と、室内フィン６０の風上側端部とは、室内空気流れ方向において概ね同じ位置に設けられている。
【００８６】
風上熱交換部７０及び風下熱交換部８０の両方において、複数の室内扁平管５５の断面寸法は、全て同じである。断面寸法とは、具体的には、室内扁平管５５の幅ＷＴ、及び、室内扁平管５５の高さＨＴである。室内扁平管５５の幅ＷＴは、室内扁平管５５の断面視における長手方向（複数の流路５５ｃが並んでいる方向）の寸法である。室内扁平管５５の高さＨＴは、室内扁平管５５の断面視における短手方向（上下方向）の寸法である。室内扁平管５５の高さＨＴは、室内扁平管５５の上側扁平面５５ａと下側扁平面５５ｂとの間の距離に相当する。また、複数の室内扁平管５５は、上下方向において所定の段ピッチＤＰで配置されている。段ピッチＤＰとは、上下方向において隣り合う２つの室内扁平管５５の上側扁平面５５ａの間の距離に相当する。
【００８７】
室内扁平管５５の幅ＷＴは、１２ｍｍ以下である。室内扁平管５５の幅ＷＴは、１０ｍｍ以下であることが好ましい。特に、室内扁平管５５の幅ＷＴは、３ｍｍ以上かつ１２ｍｍ以下であることが好ましく、３ｍｍ以上かつ１０ｍｍ以下であることがより好ましい。
【００８８】
また、室内扁平管５５は、ＨＴ／ＷＴ≧０．１５の関係を満たしていることが好ましい。室内扁平管５５は、ＨＴ／ＷＴ≧０．２の関係をさらに満たしていることが好ましい。特に、室内扁平管５５は、０．１５≦ＨＴ／ＷＴ≦０．３の関係を満たしていることが好ましく、０．２≦ＨＴ／ＷＴ≦０．３の関係を満たしていることがより好ましい。
【００８９】
また、室内扁平管５５のＨＴ／ＷＴの値は、室外扁平管９０のＨＴｏ／ＷＴｏの値よりも大きいことが好ましい。
【００９０】
また、室内扁平管５５の幅ＷＴは、室外扁平管９０の幅ＷＴｏよりも小さいことが好ましい。
【００９１】
また、室内扁平管５５の高さＨＴは、１．２ｍｍ以上かつ２．５ｍｍ以下であることが好ましい。
【００９２】
また、室内熱交換器５１の段ピッチＤＰは、８．０ｍｍ以上かつ１５．０ｍｍ以下であることが好ましい。
【００９３】
また、室内熱交換器５１の複数の室内フィン６０の板厚方向におけるピッチは、室外熱交換器１１の複数の室外フィン９１の板厚方向におけるピッチよりも小さいことが好ましい。板厚方向におけるピッチとは、板厚方向において隣り合う室内フィン６０の同じ側の面同士の間隔、又は、板厚方向において隣り合う室外フィン９１の同じ側の面同士の間隔である。
【００９４】
また、室内熱交換器５１は、４．０≦ＤＰ／ＨＴ≦１０．０の関係を満たしていることが好ましい。室内熱交換器５１は、４．６≦ＤＰ／ＨＴ≦８．０の関係をさらに満たしていることが好ましい。
【００９５】
また、室内熱交換器５１のＤＰ／ＨＴの値は、室外熱交換器１１のＤＰｏ／ＨＴｏの値よりも小さいことが好ましい。
【００９６】
（３−４）室内フィン
室内フィン６０は、室内空気流れ方向及び上下方向に広がる板状部材である。室内フィン６０は、その板厚方向に沿って所定の間隔で複数配置されている。各室内フィン６０には、複数の室内扁平管５５が固定されている。風上熱交換部７０を構成している室内フィン６０と、風下熱交換部８０を構成している室内フィン６０とは、室内空気流れ方向に沿って視た場合に、概ね互いに重なるように配置されている。風上熱交換部７０を構成している室内フィン６０の風下側の端部と、風下熱交換部８０を構成している室内フィン６０の風上側の端部とは、少なくとも一部分において互いに接触している。
【００９７】
風上熱交換部７０及び風下熱交換部８０の両方において、室内フィン６０は、主として、主面６１と、複数のフィンカラー部６５ａと、室内連通部６４と、複数の風上部６５と、メインスリット６２と、連通位置スリット６３とを有している。室内フィン６０の主面６１における板厚方向の寸法は、例えば、０．０５ｍｍ以上かつ０．１５ｍｍ以下である。複数の室内フィン６０の板厚方向におけるピッチ（互いに隣り合う室内フィン６０の同じ側の面同士の間隔）は、１．０ｍｍ以上かつ１．６ｍｍ以下であることが好ましい。
【００９８】
主面６１は、室内フィン６０の表面であって、フィンカラー部６５ａ、メインスリット６２及び連通位置スリット６３が設けられていない平坦部分に相当する。
【００９９】
フィンカラー部６５ａは、室内フィン６０の風上側の縁部から、室内フィン６０の風下側の縁部の近傍まで、室内空気流れ方向（水平方向）に沿って延びるように形成されている。複数のフィンカラー部６５ａは、上下方向に並ぶように設けられている。フィンカラー部６５ａは、バーリング等によって形成されている。フィンカラー部６５ａの輪郭形状は、室内扁平管５５の断面の外形にほぼ一致している。フィンカラー部６５ａには、室内扁平管５５が挿入された状態でロウ付け固定されている。
【０１００】
図１２は、室内フィン６０と室内扁平管５５との接合状態を示す断面図である。図１２は、室内扁平管５５の流路５５ｃ内を冷媒が通過する方向、及び、鉛直方向を含む面で室内熱交換器５１を切断した断面図である。図１２に示されるように、フィンカラー部６５ａは、主面６１に対して、主面６１の板厚方向においてメインスリット６２の切り起こし側とは反対側に立ち上げられて構成されている。フィンカラー部６５ａの主面６１側の反対側には、当該フィンカラー部６５ａに固定されている室内扁平管５５の上側扁平面５５ａ（又は下側扁平面５５ｂ）から遠ざかる方向に延びるように曲げられた位置決め部６５ｘが設けられている。位置決め部６５ｘは、隣り合う室内フィン６０の主面６１に面接触することで、複数の室内フィン６０の板厚方向におけるピッチを規定している。
【０１０１】
また、図１２に示されるように、フィンカラー部６５ａは、室内扁平管５５の上側扁平面５５ａ（又は下側扁平面５５ｂ）との間にロウ材５８が介在した状態で、ロウ付けにより室内扁平管５５に接合されている。図１２に示されるように、室内扁平管５５の下側扁平面５５ｂ側において、主面６１に対するフィンカラー部６５ａの立ち上げが始まっている箇所と、メインスリット６２の切り起こしが始まっている箇所との間の距離ＤＳは、１ｍｍ以下であることが好ましい。室内扁平管５５の下側扁平面５５ｂにおける結露水は、メインスリット６２の切り起こしが始まっている箇所を介して下方に導かれて排水される。そのため、当該距離ＤＳを１ｍｍ以下の短い距離とすることで、室内扁平管５５の下側扁平面５５ｂにおいて結露水が保持されることが抑制される。
【０１０２】
室内連通部６４は、室内フィン６０の一部であって、室内扁平管５５の風下側の端部よりもさらに風下側において、上下方向に連続して延びている部分である。ＷＬを室内空気流れ方向における室内連通部６４の長さとし、ＷＦを室内空気流れ方向における室内フィン６０の長さとした場合、室内フィン６０は、０．２≦ＷＬ／ＷＦ≦０．５の関係を満たすことが好ましい。
【０１０３】
風上部６５は、上下方向において隣り合う２つのフィンカラー部６５ａに挟まれている部分である。各室内フィン６０では、複数の風上部６５が、互いに異なる高さ位置において、室内連通部６４の風上側の端部からさらに風上側に向かって伸びている。風上部６５の上下方向の寸法は、ＤＰ−ＨＴで表される。
【０１０４】
メインスリット６２は、室内フィン６０の伝熱性能を向上させるために、平坦な主面６１から板厚方向に切り起こされて構成された部分である。メインスリット６２は、各風上部６５に形成されている。メインスリット６２は、室内空気流れ方向に沿って複数並ぶように形成されている。
【０１０５】
連通位置スリット６３は、室内フィン６０の伝熱性能を向上させるために、平坦な主面６１から板厚方向に切り起こされて構成された部分である。連通位置スリット６３は、室内連通部６４において、複数の高さ位置に形成されている。連通位置スリット６３は、各高さ位置に設けられたメインスリット６２の風下側に、それぞれ対応するように設けられている。連通位置スリット６３は、その長手方向が上下方向に沿うように形成されている。連通位置スリット６３の上端は、対応するメインスリット６２の上端よりもさらに上方に位置する。連通位置スリット６３の下端は、対応するメインスリット６２の下端よりもさらに下方に位置する。
【０１０６】
メインスリット６２及び連通位置スリット６３は、平坦な主面６１から板厚方向の同じ側に切り起こされることで、風上側及び風下側のそれぞれにおいて開口を形成する。
【０１０７】
（４）空気調和装置の動作
空気調和装置１は、冷房運転及び暖房運転を行う。冷房運転では、圧縮機８、室外熱交換器１１、室外膨張弁１２及び室内熱交換器５１の順に冷媒が流れる。暖房運転では、圧縮機８、室内熱交換器５１、室外膨張弁１２及び室外熱交換器１１の順に冷媒が流れる。
【０１０８】
（４−１）冷房運転
冷房運転時では、室外熱交換器１１が冷媒の放熱器として機能し、室内熱交換器５１が冷媒の蒸発器として機能する。冷房運転時には、図１の実線で示されるように四路切換弁１０の接続状態が切り換えられる。冷媒回路６において、冷凍サイクルの低圧のガス冷媒は、室外ユニット２の圧縮機８に吸入され、冷凍サイクルの高圧になるまで圧縮された後に吐出される。圧縮機８から吐出された高圧のガス冷媒は、四路切換弁１０を通って、室外熱交換器１１に送られる。高圧のガス冷媒は、室外熱交換器１１において、室外ファン１５によって冷却源として供給される室外空気と熱交換を行って放熱して、高圧の液冷媒になる。高圧の液冷媒は、室外膨張弁１２を通過する際に、冷凍サイクルにおける低圧になるまで減圧され、低圧の気液二相状態の冷媒となる。低圧の気液二相状態の冷媒は、液側閉鎖弁１３及び液冷媒連絡管４を通って、室内ユニット３に送られる。
【０１０９】
室内ユニット３に送られた低圧の気液二相状態の冷媒は、室内熱交換器５１において、室内ファン５２によって加熱源として供給される室内空気と熱交換を行って蒸発する。これにより、室内熱交換器５１を通過する空気が冷却されて、室内の冷房が行われる。この際に、室内熱交換器５１を通過する空気に含まれる水分が凝縮して、室内熱交換器５１の表面に結露水が生じる。室内熱交換器５１において蒸発した低圧のガス冷媒は、ガス冷媒連絡管５を通って、室外ユニット２に送られる。
【０１１０】
室外ユニット２に送られた低圧のガス冷媒は、ガス側閉鎖弁１４、四路切換弁１０及びアキュムレータ７を通って、圧縮機８に再び吸入される。
【０１１１】
（４−２）暖房運転
暖房運転時では、室外熱交換器１１が冷媒の蒸発器として機能し、室内熱交換器５１が冷媒の放熱器として機能する。暖房運転時には、図１の破線で示されるように四路切換弁１０の接続状態が切り換えられる。冷媒回路６において、冷凍サイクルの低圧のガス冷媒は、室外ユニット２の圧縮機８に吸入され、冷凍サイクルの高圧になるまで圧縮された後に吐出される。圧縮機８から吐出された高圧のガス冷媒は、四路切換弁１０、ガス側閉鎖弁１４及びガス冷媒連絡管５を通って、室内ユニット３に送られる。
【０１１２】
室内ユニット３に送られた高圧のガス冷媒は、室内熱交換器５１において、室内ファン５２によって冷却源として供給される室内空気と熱交換を行って放熱して、高圧の液冷媒になる。これにより、室内熱交換器５１を通過する空気が加熱されて、室内の暖房が行われる。室内熱交換器５１で放熱した高圧の液冷媒は、液冷媒連絡管４を通って、室外ユニット２に送られる。
【０１１３】
室外ユニット２に送られた高圧の液冷媒は、液側閉鎖弁１３を通り、室外膨張弁１２において冷凍サイクルの低圧まで減圧されて、低圧の気液二相状態の冷媒になる。低圧の気液二相状態の冷媒は、室外熱交換器１１において、室外ファン１５によって加熱源として供給される室外空気と熱交換を行って蒸発して、低圧のガス冷媒になる。低圧のガス冷媒は、四路切換弁１０及びアキュムレータ７を通って、圧縮機８に再び吸入される。
【０１１４】
（５）特徴
（５−１）
一般的に、室内熱交換器における室内フィンの熱伝達率は、室内扁平管の幅を大きくするほど高くすることができる。しかし、室内扁平管の幅を大きくすると、室内扁平管の表面（上面及び下面）に滞留しようとする結露水が排出されにくくなる。その結果、室内熱交換器の結露水の排出性が低下して、結露水が室内に飛散しやすくなる。特に、高温かつ高湿度の室内では結露水が生じやすいので、室内機の風速を高くすると結露水がより室内に飛散しやすくなる。
【０１１５】
本実施形態の室内熱交換器５１及びこれを備える空気調和装置１では、室内熱交換器５１を構成する室内扁平管５５の幅ＷＴは、１２ｍｍ以下である。このように、室内扁平管５５の幅ＷＴに上限を設けることで、室内扁平管５５の表面に滞留しようとする結露水を速やかに排出することができるので、結露水の排出性の低下が抑制される。また、室内扁平管５５の幅ＷＴが１０ｍｍ以下となるように室内熱交換器５１を構成した場合、結露水の排出性の低下がより効果的に抑制される。このように室内扁平管５５の幅ＷＴの上限を設定することが結露水の排出性低下の抑制のために良好であることは、ＷＴの値を変化させた解析データにより明らかとなった。図１３は、ＷＴの値を変化させたデータの具体例である。図１３において、横軸は、室内扁平管５５の幅ＷＴを表し、縦軸は、排水時間を表す。ここで、排水時間とは、室内熱交換器５１を埋没させた水槽から室内熱交換器５１を引き上げた時点から、室内熱交換器５１の排水が完了して室内熱交換器５１の重量が一定になった時点までの時間である。排水時間が短いほど、室内扁平管５５の表面に滞留しようとする結露水の排出性が優れている。なお、図１３において、室内扁平管５５の高さＨＴは２ｍｍであり、段ピッチＤＰは１０ｍｍであり、室内空気流れ方向における室内連通部６４の長さＷＬは３ｍｍである。図１３に示されるように、ＷＴを１２ｍｍ以下に設定することで、室内扁平管５５の表面に滞留しようとする結露水が速やかに排出される。特に、ＷＴを１０ｍｍ以下に設定することで、結露水がより速やかに排出される。
【０１１６】
従って、室内熱交換器５１は、室内扁平管５５の幅ＷＴに上限を設けることで、室内扁平管５５の表面に滞留しようとする結露水を排出しやすくし、冷媒の蒸発器として用いられた場合に生じる結露水の飛散を抑制する。また、室内扁平管５５の幅ＷＴに上限を設けることで、室内フィン６０の寸法を小さくして、室内ユニット３のコンパクト化を達成することができる。
【０１１７】
なお、室内扁平管５５の幅ＷＴが小さすぎると、室内フィン６０の室内連通部６４の室内空気流れ方向の寸法が大きくなる。その結果、室内フィン６０の領域の内、室内扁平管５５から離れた領域に熱が伝導しにくくなり、室内フィン６０の伝熱性能が低下するおそれがある。そのため、室内フィン６０の伝熱性能を確保する観点からは、室内扁平管５５の幅ＷＴに下限を設けることが好ましく、具体的には、室内扁平管５５の幅ＷＴを３ｍｍ以上とすることが好ましい。これにより、室内フィン６０の伝熱性能を確保しつつ、結露水の排出性の低下を抑制することが可能となる。
【０１１８】
（５−２）
一般的に、室内熱交換器における室内フィンの熱伝達率は、室内扁平管の高さと幅との比が小さいほど、室内扁平管の幅が大きくなる傾向があるので、上記の理由により結露水が室内に飛散しやすくなる。
【０１１９】
本実施形態の室内熱交換器５１及びこれを備える空気調和装置１では、ＨＴを室内扁平管５５の高さとし、ＷＴを室内扁平管５５の幅とした場合に、室内熱交換器５１を構成する室内扁平管５５は、ＨＴ／ＷＴ≧０．１５の関係を満していることが好ましい。このように、室内扁平管５５のＨＴ／ＷＴに下限を設けることで、実質的に、室内扁平管５５の幅ＷＴに上限を設けることができる。その結果、室内扁平管５５の表面に滞留しようとする結露水の排出性の低下が抑制される。また、室内扁平管５５がＨＴ／ＷＴ≧０．２０を満たすように室内熱交換器５１を構成した場合、結露水の排出性の低下がより効果的に抑制される。このように室内扁平管５５のＨＴ／ＷＴの下限を設定することが結露水の排出性低下の抑制のために良好であることは、ＨＴ／ＷＴの値を変化させた解析データにより明らかとなった。図１４は、ＨＴ／ＷＴの値を変化させたデータの具体例である。図１４において、横軸は、室内扁平管５５の高さＨＴと室内扁平管５５の幅ＷＴとの比ＨＴ／ＷＴを表し、縦軸は、排水時間を表す。図１４に示される排水時間は、図１３に示される排水時間と同じである。なお、図１４において、段ピッチＤＰは１０ｍｍであり、室内空気流れ方向における室内連通部６４の長さＷＬは３ｍｍである。図１４に示されるように、ＨＴ／ＷＴを０．１５以上に設定することで、室内扁平管５５の表面に滞留しようとする結露水が速やかに排出される。特に、ＨＴ／ＷＴを０．２０以上に設定することで、結露水がより速やかに排出される。
【０１２０】
従って、室内熱交換器５１は、室内扁平管５５の表面に滞留しようとする結露水を排出しやすくして、冷媒の蒸発器として用いられた場合に生じる結露水の飛散を抑制する。
【０１２１】
なお、室内フィン６０の伝熱性能を確保する観点からは、室内扁平管５５の幅ＷＴは、所定の値以上であることが好ましい。そのため、ＨＴ／ＷＴ≧０．１５の関係、又は、ＨＴ／ＷＴ≧０．２０の関係に加えて、室内扁平管５５がＨＴ／ＷＴ≦０．３の関係をさらに満たすように、室内熱交換器５１が構成されていることが好ましい。これにより、実質的に、室内扁平管５５の幅ＷＴに下限を設けることができるので、上記の理由により室内フィン６０の伝熱性能を十分に確保することができる。
【０１２２】
（５−３）
本実施形態の室内熱交換器５１を備える空気調和装置１では、室内扁平管５５の幅ＷＴは、室外扁平管９０の幅ＷＴｏよりも小さいことが好ましい。室外熱交換器１１では、室外フィン９１の着霜耐力を確保する観点から、室外フィン９１の室外空気流れ方向の寸法は大きいほど好ましい。室外フィン９１の室外空気流れ方向の寸法が大きくなるほど、室外扁平管９０の幅ＷＴｏも大きくなる傾向がある。そのため、室内扁平管５５の幅ＷＴを、室外扁平管９０の幅ＷＴｏよりも小さくすることで、実質的に、室内扁平管５５の幅ＷＴに上限を設けることができる。これにより、室外フィン９１の着霜耐力を確保しつつ、室内扁平管５５の表面に滞留しようとする結露水の排出性の低下を抑制することが可能となる。
【０１２３】
（５−４）
本実施形態の室内熱交換器５１を備える空気調和装置１は、ＨＴを室内扁平管５５の高さとし、ＷＴを室内扁平管５５の幅とし、ＨＴｏを室外扁平管９０の高さとし、ＷＴｏを室外扁平管９０の幅とした場合に、ＨＴ／ＷＴ≧ＨＴｏ／ＷＴｏの関係を満たすことが好ましい。室外熱交換器１１では、室外フィン９１の着霜耐力を確保する観点から、室外フィン９１の室外空気流れ方向の寸法は大きいほど好ましい。室外フィン９１の室外空気流れ方向の寸法が大きくなるほど、室外扁平管９０の幅ＷＴｏも大きくなる傾向がある。そのため、室内扁平管５５のＨＴ／ＷＴの値を、室外扁平管９０のＨＴｏ／ＷＴｏの値よりも大きくすることで、実質的に、室内扁平管５５の幅ＷＴに上限を設けることができる。これにより、室外フィン９１の着霜耐力を確保しつつ、室内扁平管５５の表面に滞留しようとする結露水の排出性の低下を抑制することが可能となる。
【０１２４】
（５−５）
本実施形態の室内熱交換器５１は、風上熱交換部７０及び風下熱交換部８０を有している。すなわち、室内熱交換器５１は、室内空気流れ方向において、室内扁平管５５が２列に配置された構造を有している。室内扁平管５５の列とは、上下方向に並んで配置された複数の室内扁平管５５の集まりである。すなわち、室内熱交換器５１は、風上熱交換部７０を構成する複数の室内扁平管５５の列と、風下熱交換部８０を構成する複数の室内扁平管５５の列とからなる、２列の室内扁平管５５を有している。
【０１２５】
室内熱交換器５１は、２列の室内扁平管５５を有しているため、室内熱交換器５１で生じる結露水の内、風上熱交換部７０で生じた結露水は、風上熱交換部７０と風下熱交換部８０との間の部分、又は、風下熱交換部８０において下方に排水される。このように、室内扁平管５５の列が１つのみの場合よりも、室内扁平管５５の列が複数ある場合の方が、結露水の排水経路をより多く確保することができる。そのため、室内熱交換器５１は、室内扁平管５５の列を複数有することで、結露水の排水性を向上させることが可能となる。
【０１２６】
また、風下熱交換部８０には、風上熱交換部７０を通過する際に風上熱交換部７０において結露水を生じさせることで乾き度が増した空気が供給されるため、風下熱交換部８０で生じる結露水が少なく抑えられる。その結果、風下熱交換部８０の風下側端部からの結露水の飛散が抑制される。そのため、室内熱交換器５１は、室内扁平管５５の列を複数有することで、結露水の飛散を抑制することが可能となる。
【０１２７】
一方、本実施形態の室内熱交換器５１を備える空気調和装置１では、室外熱交換器１１は、室外扁平管９０を１列のみ有している。すなわち、空気調和装置１では、室内扁平管５５の列の数は、室外扁平管９０の列の数より多い。このように、室内扁平管５５の列の数を、室外扁平管９０の列の数以上に設定することで、室内扁平管５５の列の下限を設定することができる。その結果、例えば、室内扁平管５５の列が複数ある場合に、結露水の排水経路をより多く確保することができるので、結露水の排水性を向上させることが可能となる。従って、室内熱交換器５１では、室内扁平管５５の列を、室外扁平管９０の列の数以上にすることで、結露水の排水性を向上させることが可能となる。
【０１２８】
（５−６）
本実施形態の室内熱交換器５１では、室内フィン６０は、室内扁平管５５の風下側に室内連通部６４を有している。このため、室内扁平管５５で生じた結露水は、室内扁平管５５の風下側に位置している室内連通部６４を伝いながら下方に排出されやすい。そのため、室内扁平管５５の風下側に室内連通部６４を設けることで、室内フィン６０の風下側の端部からの結露水の飛散が抑制される。
【０１２９】
一方、本実施形態の室内熱交換器５１を備える空気調和装置１では、室外熱交換器１１の室外フィン９１は、室外扁平管９０の風上側に室外連通部９７ａを有している。暖房運転時では、室外熱交換器１１を通過する空気に含まれる水分が凝縮して排出される。しかし、一般的に、暖房運転時に室外熱交換器１１から排出される水の量は、冷房運転時に室内熱交換器５１から排出される結露水の量よりも少ない。そのため、室外熱交換器１１では、室内熱交換器５１と比較して、結露水の飛散が問題となりにくい。さらに、室外フィン９１の着霜耐力を確保する観点から、室外連通部９７ａは、室外扁平管９０の風下側よりも風上側に設けられていることが好ましい。そのため、室外扁平管９０の風上側に室外連通部９７ａを設けることで、室外フィン９１の着霜耐力を確保することができる。
【０１３０】
（５−７）
本実施形態の室内熱交換器５１を備える空気調和装置１では、室内熱交換器５１の複数の室内フィン６０の板厚方向におけるピッチは、室外熱交換器１１の複数の室外フィン９１の板厚方向におけるピッチよりも小さいことが好ましい。この場合、例えば、室内フィン６０のピッチは１．０ｍｍ〜１．８ｍｍに設定され、室外フィン９１のピッチは１．２ｍｍ〜２．０ｍｍに設定される。室内フィン６０をコンパクトにして、スリット（メインスリット６２及び連通位置スリット６３）の伝熱を促進することで、室内フィン６０の伝熱性能を向上させるためには、室内フィン６０の幅を室外フィン９１の幅より小さくすることに加えて、室内フィン６０のピッチを室外フィン９１のピッチより小さくする必要がある。
【０１３１】
（５−８）
一般的に、室内熱交換器における室内フィンの熱伝達率は、室内扁平管の間隔が小さいほど高くなる。しかし、室内扁平管の間隔を小さくすると、室内扁平管の間を通過する空気の流速が増大して、結露水が飛散しやすくなる。また、室内扁平管の高さを大きくすると、同様に、室内扁平管の間を通過する空気の流速が増大して、結露水が飛散しやすくなる。一方、室内扁平管の間隔を広くすると、室内フィンの熱伝達率が低下するので、室内熱交換器における冷媒の蒸発温度を下げざるを得ず、結露水が生じやすい環境になってしまう。
【０１３２】
本実施形態の室内熱交換器５１及びこれを備えた空気調和装置１では、室内熱交換器５１は、ＨＴを室内扁平管５５の高さとし、ＤＰを複数の室内扁平管５５の高さ方向のピッチとした場合に、４．０≦ＤＰ／ＨＴ≦１０．０の関係を満たすことが好ましい。このように、室内熱交換器５１のＤＰ／ＨＴの値を当該数値範囲とすることが結露水の抑制のために良好であることは、ＤＰ及びＨＴの各値を変化させた解析データにより明らかとなった。
【０１３３】
室内熱交換器５１のＤＰ／ＨＴの値を４．０以上とすることにより、室内フィン６０を横切る空気の流速が大きくなりすぎることが抑制される。その結果、室内ファン５２の風量を大きくしても、室内フィン６０からの結露水の飛散が抑制される。
【０１３４】
また、室内熱交換器５１のＤＰ／ＨＴの値を１０．０以下とすることにより、室内フィン６０の領域の内、室内扁平管５５から離れた領域を狭くして、室内フィン６０の熱伝達率を向上させることができる。これにより、所定の冷房能力を確保するために室内熱交換器５１の冷媒の蒸発温度を低下させる必要性が低下するので、結露水が生じにくくなる。そのため、室内ファン５２の風量を大きくしても、室内フィン６０からの結露水の飛散が抑制される。
【０１３５】
なお、室内熱交換器５１は、４．６≦ＤＰ／ＨＴ≦８．０の関係をさらに満たすことが好ましい。この場合、結露水の飛散を抑制する効果をより向上させることが可能になる。
【０１３６】
（５−９）
一般的に、空気調和装置の室外ユニットに用いられる室外熱交換器では、冷媒の蒸発器として機能させる際の室外フィンでの着霜により通風抵抗が増大しがちになることから、室外扁平管のピッチを広くとることが求められる。しかし、室内熱交換器において、室内扁平管のピッチが広い構造を採用すると、室内扁平管のピッチが広いために室内フィンの熱伝達率が低下し、室内熱交換器における冷媒の蒸発温度を下げざるを得ず、結露水が生じやすくなってしまう。
【０１３７】
本実施形態の室内熱交換器５１及びこれを備えた空気調和装置１は、ＨＴを室内扁平管５５の高さとし、ＤＰを複数の室内扁平管５５の高さ方向のピッチとし、ＨＴｏを室外扁平管９０の高さとし、ＤＰｏを複数の室外扁平管９０の高さ方向のピッチとした場合に、室内熱交換器５１のＤＰ／ＨＴの値が、室外熱交換器１１のＤＰｏ／ＨＴｏの値よりも小さい関係を満たすことが好ましい。
【０１３８】
これにより、結露水の飛散が問題となりにくい室外熱交換器１１においては、蒸発器として用いられる場合の着霜を抑制しつつ、結露水の飛散が問題となりやすい室内熱交換器５１においては、室内フィン６０の熱伝達率を向上させて結露水を生じにくくさせ、結露水の飛散を抑制させることが可能になる。
【０１３９】
（５−１０）
本実施形態の室内熱交換器５１では、ＷＦを室内空気流れ方向における室内フィン６０の長さとし、ＷＬを室内空気流れ方向における室内連通部６４の長さとした場合に、室内フィン６０は、０．２≦ＷＬ／ＷＦ≦０．５の関係を満たすことが好ましい。
【０１４０】
室内フィン６０のＷＬ／ＷＦの値を０．２以上とすることで、室内連通部６４の室内空気流れ方向の幅を十分に確保して、室内熱交換器５１で生じた結露水を、室内連通部６４を介して排出させやすくすることが可能になる。また、室内フィン６０のＷＬ／ＷＦの値を０．５以下とすることで、室内フィン６０の領域の内、室内扁平管５５から離れて伝熱性能の向上に寄与しにくい領域の面積を抑えて、室内フィン６０の伝熱性能を維持しつつ室内フィン６０の材料費を抑制することが可能になる。
【０１４１】
また、室内連通部６４を室内扁平管５５の風下側に位置させつつ、室内フィン６０のＷＬ／ＷＦの値を０．２以上とすることで、室内扁平管５５で生じた結露水の排水性を高めることが可能になる。
【０１４２】
（５−１１）
本実施形態の室内熱交換器５１では、室内フィン６０は、室内空気流れ方向に開口が生じるように切り起こされたメインスリット６２及び連通位置スリット６３を有している。このため、室内熱交換器５１に供給される空気を、室内フィン６０に十分に接触させることができるので、空気熱源を十分に利用することが可能となる。
【０１４３】
なお、メインスリット６２及び連通位置スリット６３の上端は、それらの上方に位置する室内扁平管５５の下端近傍に位置している。そのため、当該室内扁平管５５において生じた結露水が、メインスリット６２及び連通位置スリット６３に捕らえられやすいので、結露水が排出されやすい。特に、図１２に示される距離ＤＳが１ｍｍ以下に設計されることにより、室内扁平管５５の下側扁平面５５ｂ側における結露水の滞留がより効果的に抑制されるので、結露水の排水性が向上する。
【０１４４】
（６）変形例
（６−１）変形例Ａ
上記実施形態では、室内フィン６０の風下側（室内空気流れ方向の下流側）の端部は、平坦な形状である。しかし、室内フィン６０の風下側端部の形状は、平坦な形状に限られない。例えば、以下に述べるように、室内フィン６０は、風下側端部に沿うように延びた導水リブ９９を有してもよい。
【０１４５】
図１５は、室内フィン６０ａと室内扁平管５５との位置関係を示す説明図である。図１６は、室内フィン６０ａが有する導水リブ９９の断面図であって、図１５のＢ−Ｂ断面の内の風下側近傍部分の説明図である。
【０１４６】
本変形例に係る室内熱交換器５１は、上記実施形態と同様に、風上熱交換部７０と風下熱交換部８０とを有している。風上熱交換部７０及び風下熱交換部８０のそれぞれの室内フィン６０ａは、導水リブ９９を有している。導水リブ９９は、室内フィン６０ａの風下側に設けられた室内連通部６４の風下側端部に沿うように、上下方向に延びている。導水リブ９９は、図１６に示されるように、周囲の主面６１に対して、室内フィン６０ａの板厚方向に向かって凹むように構成されている。導水リブ９９は、室内フィン６０ａの板厚以上に凹んで構成されていることが好ましい。
【０１４７】
このように、室内フィン６０ａに導水リブ９９を設けることで、室内熱交換器５１において生じた結露水は導水リブ９９に捕らえられるので、導水リブ９９を伝って下方に結露水が導かれやすくなる。このため、室内フィン６０ａの風下側端部に結露水が到達することが抑制され、結露水の飛散が効果的に抑制される。
【０１４８】
導水リブ９９は、室内連通部６４の室内空気流れ方向の幅の半分よりも風下側に設けられていることが好ましい。導水リブ９９は、室内連通部６４の室内空気流れ方向の幅の内、風下側端部から２０％以内の位置に設けられていることがより好ましい。
【０１４９】
なお、導水リブ９９を有する室内フィン６０ａにおいて、室内連通部６４の室内空気流れ方向における幅ＷＬと、室内フィン６０の室内空気流れ方向における幅ＷＦとは、０．２≦ＷＬ／ＷＦの関係を満たしていることが好ましい。
【０１５０】
（６−２）変形例Ｂ
上記実施形態では、室内熱交換器５１は、風上熱交換部７０と風下熱交換部８０とを有しており、室内空気流れ方向において室内扁平管５５が２列に並んで設けられている。しかし、室内熱交換器５１が備える室内扁平管５５は、２列に限られるものではなく、３列以上であってもよい。室内扁平管５５の列の数を増やすことで、結露水の排水経路をより多く確保することができるので、室内熱交換器５１の風下側端部からの結露水の飛散をより効果的に抑制することが可能となる。
【０１５１】
（６−３）変形例Ｃ
上記実施形態では、室内熱交換器５１において、風上熱交換部７０に属する複数の室内扁平管５５と、風下熱交換部８０に属する複数の室内扁平管５５とは、室内空気流れ方向に沿って視た場合において、概ね互いに重なるように配置されている。
【０１５２】
しかし、室内熱交換器５１の室内扁平管５５の配置は、これに限られるものではない。例えば、風上熱交換部７０に属する複数の室内扁平管５５と、風下熱交換部８０に属する複数の室内扁平管５５とは、室内空気流れ方向に沿って視た場合において、互いに重ならないように配置されていてもよい。これにより、風上側に位置する室内扁平管５５にも風下側に位置する室内扁平管５５にも、室内空気の流れを十分に当てることが可能になるので、室内熱交換器５１の伝熱性能が向上する。
【０１５３】
（６−４）変形例Ｄ
上記実施形態では、室内熱交換器５１の室内フィン６０は、メインスリット６２及び連通位置スリット６３を有している。メインスリット６２及び連通位置スリット６３は、室内フィン６０の主面６１に対して板厚方向の一方側にスリット全体が位置するように切り起こされて構成されている。
【０１５４】
しかし、室内フィン６０に形成されるメインスリット６２及び連通位置スリット６３の切り起こし方は、これに限られない。例えば、メインスリット６２及び連通位置スリット６３の代わりに、例えば、ルーバーと称される構造が採用されてもよい。ルーバーとは、切り起こされて構成されるスリットの一種である。例えば、ルーバーの風上側端部は、室内フィン６０の主面６１の板厚方向の一方の側に位置し、ルーバーの風下側端部は、室内フィン６０の主面６１の板厚方向の他方の側に位置している。
【０１５５】
（６−５）変形例Ｅ
上記実施形態では、室内熱交換器５１は、２列の室内扁平管５５を有している。しかし、室内熱交換器５１として、２列の室内扁平管５５を有している室内熱交換器５１の他に、１列のみの室内扁平管５５を有している室内熱交換器５１が用いられてもよい。この場合、室内熱交換器５１は、室内扁平管５５の幅ＷＴが１２ｍｍ以下でなくても、室内扁平管５５が、ＨＴ／ＷＴ≧０．１５の関係を満たしていればよい。また、室内扁平管５５は、ＨＴ／ＷＴ≧０．２の関係をさらに満たしていることが好ましい。特に、室内扁平管５５は、０．１５≦ＨＴ／ＷＴ≦０．３の関係を満たしていることが好ましく、０．２≦ＨＴ／ＷＴ≦０．３の関係を満たしていることがより好ましい。
【０１５６】
本変形例においても、実施形態と同様に、室内熱交換器５１は、室内扁平管５５の表面に滞留しようとする結露水を排出しやすくして、冷媒の蒸発器として用いられた場合に生じる結露水の飛散を抑制する。
【０１５７】
また、本変形例では、室内扁平管５５の幅ＷＴは、１２ｍｍ以下であることが好ましい。この場合、室内扁平管５５の幅ＷＴは、１０ｍｍ以下であることがより好ましい。特に、室内扁平管５５の幅ＷＴは、３ｍｍ以上かつ１２ｍｍ以下であることが好ましく、３ｍｍ以上かつ１０ｍｍ以下であることがより好ましい。
【０１５８】
また、室内扁平管５５のＨＴ／ＷＴの値は、室外扁平管９０のＨＴｏ／ＷＴｏの値よりも大きいことが好ましい。
【０１５９】
また、室内扁平管５５の幅ＷＴは、室外扁平管９０の幅ＷＴｏよりも小さいことが好ましい。
【０１６０】
また、室内扁平管５５の高さＨＴは、１．２ｍｍ以上かつ２．５ｍｍ以下であることが好ましい。
【０１６１】
また、室内熱交換器５１の段ピッチＤＰは、８．０ｍｍ以上かつ１５．０ｍｍ以下であることが好ましい。
【０１６２】
また、室内熱交換器５１の複数の室内フィン６０の板厚方向におけるピッチは、室外熱交換器１１の複数の室外フィン９１の板厚方向におけるピッチよりも小さいことが好ましい。
【０１６３】
また、室内熱交換器５１は、４．０≦ＤＰ／ＨＴ≦１０．０の関係を満たしていることが好ましい。室内熱交換器５１は、４．６≦ＤＰ／ＨＴ≦８．０の関係をさらに満たしていることが好ましい。
【０１６４】
また、室内熱交換器５１のＤＰ／ＨＴの値は、室外熱交換器１１のＤＰｏ／ＨＴｏの値よりも小さいことが好ましい。
【０１６５】
また、ＷＬを室内空気流れ方向における室内連通部６４の長さとし、ＷＦを室内空気流れ方向における室内フィン６０の長さとした場合、室内フィン６０は、０．２≦ＷＬ／ＷＦ≦０．５の関係を満たすことが好ましい。
【０１６６】
（７）むすび
以上、本開示の実施形態及び変形例を説明したが、特許請求の範囲に記載された本開示の趣旨及び範囲から逸脱することなく、形態や詳細の多様な変更が可能なことが理解されるであろう。
【符号の説明】
【０１６７】
１    空気調和装置
２    室外ユニット（室外機）
３    室内ユニット（室内機）
１１    室外熱交換器
５１    室内熱交換器
５５    室内扁平管（扁平管）
５５ｃ  流路
６０    室内フィン（伝熱フィン）
６２    メインスリット（切り起こし部）
６３    連通位置スリット（切り起こし部）
６４    室内連通部（連通部）
６５    風上部（上下に並んだ扁平管同士の間に位置する各部分）
９０    室外扁平管（扁平管）
９０ｃ  流路
９１    室外フィン（伝熱フィン）
９７ａ  連通部
９７ｂ  風下部
【先行技術文献】
【特許文献】
【０１６８】
【特許文献１】特開２０１６−０４１９８６号公報
【図１】
2019215117.tif 000003
【図２】
2019215117.tif 000004
【図３】
2019215117.tif 000005
【図４】
2019215117.tif 000006
【図５】
2019215117.tif 000007
【図６】
2019215117.tif 000008
【図７】
2019215117.tif 000009
【図８】
2019215117.tif 000010
【図９】
2019215117.tif 000011
【図１０】
2019215117.tif 000012
【図１１】
2019215117.tif 000013
【図１２】
2019215117.tif 000014
【図１３】
2019215117.tif 000015
【図１４】
2019215117.tif 000016
【図１５】
2019215117.tif 000017
【図１６】
2019215117.tif 000018